(57)【要約】      （修正有）【課題】耐久性を向上させることができる土嚢袋を提供する。【解決手段】土嚢袋２０は、縫糸により織布６０同士が縫い合わせられてなる袋体３０を備え、織布６０は、バサルト繊維で構成されている。また、織布６０は、第一長辺部６１に沿うように配置される摩擦低減シート８０とともに第一長辺部６１が折り返されて縫い合わせられることにより、筒状の紐通し部３２を形成する。袋体３０の底部３４及び一側部３５における縫製部５０は、織布６０とは別の布である被覆布７０が織布６０とともに縫い合わされて構成されている。この被覆布７０は、袋体３０の底部３４及び一側部３５を構成する織布６０の縁を被覆するように設けられている。【選択図】図３
2018020833.tif 000002
【特許請求の範囲】
【請求項１】
縫糸により織布同士が縫い合わせられてなる袋体を備え、
前記織布は、バサルト繊維で構成されている土嚢袋。
【請求項２】
前記織布には、軟質の樹脂が含浸されている請求項１に記載の土嚢袋。
【請求項３】
前記縫糸は、ポリアリレート繊維で構成されている請求項１又は請求項２に記載の土嚢袋。
【請求項４】
前記織布同士が縫い合わせられる縫製部のうち少なくとも一部は、前記織布と同じくバサルト繊維で構成された被覆布が、前記織布とともに縫い合わせられて構成されている請求項１乃至請求項３のうち何れか一項に記載の土嚢袋。
【請求項５】
前記袋体は、前記袋体に開口する口部を引き絞るための口紐が通される紐通し部を有し、
前記紐通し部には、前記紐通し部における前記口紐の摩擦を低減するための摩擦低減シートが設けられている請求項１乃至請求項４のうち何れか一項に記載の土嚢袋。
【発明の詳細な説明】
【技術分野】
【０００１】
本発明は、例えば土砂等が詰められた状態で用いられる土嚢袋に関する。
【背景技術】
【０００２】
従来から、土木工事や災害時など様々な目的のために土嚢が用いられている。このような土嚢において土砂等が詰められる土嚢袋としては、ポリエチレン、ポリプロピレンなどのポリオレフィンの繊維を用いた織布で構成されたものがある（例えば特許文献１）。
【先行技術文献】
【特許文献】
【０００３】
【特許文献１】特開２００２−３０９５３８号公報
【発明の概要】
【発明が解決しようとする課題】
【０００４】
ところで、特許文献１のような土木用途に使用される土嚢袋においては、土木用途における多様な使用目的に対応するべく、更なる耐久性の向上が求められている。特に、災害時の早期啓開のために道路の一部として用いられる土木資材としての土嚢袋においては、屋外に常備するための耐候性、車両通行に耐える強度、延焼に耐える難燃性などの耐久性が必要とされるが、現実には満足する土嚢袋は存在しない状況である。
【０００５】
本発明は、このような実情に鑑みてなされたものであり、その目的は、上記課題を解決した土嚢袋を提供することにある。
【課題を解決するための手段】
【０００６】
以下、上記課題を解決するための手段及びその作用効果について記載する。
上記課題を解決する土嚢袋は、縫糸により織布同士が縫い合わせられてなる袋体を備え、前記織布は、バサルト繊維で構成されている。
【０００７】
この構成によれば、バサルト繊維を用いることで、土嚢袋の耐久性を向上させることができる。
上記土嚢袋において、前記織布には、軟質の樹脂が含浸されていることが好ましい。特に、軟質の樹脂は、軟質塩ビであることが好ましい。
【０００８】
この構成によれば、袋体を構成する織布の柔軟性及び強度を損なうことなく織布の織目のずれを抑制し、その縫製強度を向上することができる。また、軟質の樹脂として軟質塩ビを用いることで、長期間の使用においても織布の織目のずれやその縫製強度が維持され、織布に難燃性をも付与できる。
【０００９】
上記土嚢袋において、前記縫糸は、ポリアリレート繊維で構成されていることが好ましい。
この構成によれば、ポリアリレート繊維を用いることで、土嚢袋の耐久性を向上させることができる。
【００１０】
上記土嚢袋において、前記織布同士が縫い合わせられる縫製部のうち少なくとも一部は、前記織布と同じくバサルト繊維で構成された被覆布が、前記織布とともに縫い合わせられて構成されていることが好ましい。
【００１１】
この構成によれば、バサルト繊維で構成された被覆布により、縫製部を補強することができる。
上記土嚢袋において、前記袋体は、前記袋体に開口する口部を引き絞るための口紐が通される紐通し部を有し、前記紐通し部には、前記紐通し部における前記口紐の摩擦を低減するための摩擦低減シートが設けられていることが好ましい。
【００１２】
この構成によれば、摩擦低減シートが口紐の摩擦を低減することにより、袋体の口部を引き絞り易くすることができる。
【発明の効果】
【００１３】
本発明によれば、土嚢袋の耐久性を向上させることができる。
【図面の簡単な説明】
【００１４】
【図１】土嚢袋の一実施形態を示す斜視図。
【図２】袋体の口部が引き絞られたときの斜視図。
【図３】裏返した状態の袋体を示す正面図。
【図４】縫製前の袋体を分解して示す斜視図。
【図５】図３においてＡで示す部分の断面図。
【図６】図３においてＢで示す部分の断面図。
【図７】図３においてＣで示す部分の断面図。
【図８】図３においてＤで示す部分の拡大図。
【図９】口紐の一部を切り欠いた平面図。
【図１０】土嚢袋の変更例を示す斜視図。
【発明を実施するための形態】
【００１５】
以下、土嚢袋の一実施形態について図を参照して説明する。
図１及び図２に示すように、土嚢袋２０は、例えば土砂等を収容可能な袋体３０を備えている。袋体３０は、その上部に口部３１を有し、この口部３１を介して袋体３０の内部に土砂等が収容される。また、口部３１には、口部３１を引き絞るための口紐４０が通される紐通し部３２が設けられている。紐通し部３２は、袋体３０の上縁となる口部３１の周縁に沿って延び、口紐４０を挿通可能な筒状の空間を形成している。また、紐通し部３２には、その空間内を通る口紐４０の端部をそれぞれ紐通し部３２から露出させるための紐通し穴３３が設けられている、口紐４０は、紐通し穴３３から露出される端部同士が互いに結び付けられ、ループ状をなすように構成されている。そして、この口紐４０を引くことで、紐通し部３２とともに口部３１が引き絞られ、袋体３０の内部に収容された土砂等が口部３１から漏出しないように口部３１が閉塞される。
【００１６】
図３に示すように、袋体３０は、その内部に土砂等が収容されていない未使用状態において、正面から見たときに矩形状をなしている。ここで、図３に示す袋体３０は、図１に示す袋体３０が裏返しにされた状態で図示されている。そのため、本明細書中において、以下では土砂等の収容物が収容される側の面を袋体３０の内面、その反対側を袋体３０の外面と呼ぶことがある。正面視において矩形状をなす袋体３０は、紐通し部３２が設けられている側（図２において上側）である口部３１と、口部３１とは反対側（図２において下側）である底部３４と、口部３１と底部３４を結ぶ側部のうち紐通し穴３３が設けられている側（図２において右側）である一側部３５とに、縫製部５０が設けられている。縫製部５０は、後述する織布６０が縫糸によって縫い合わせられることで形成されている。なお、一側部３５とは反対側（図２において左側）となる他側部３６には、縫製部５０が形成されていない。なお、本実施形態における縫糸は、ポリアリレート繊維で構成されている。
【００１７】
図３及び図４に示すように、袋体３０は、一枚の織布６０を主体として縫製されている。本実施形態における袋体３０は、織布６０の他に、織布６０と同じ繊維材料で製織された被覆布７０と、摩擦低減シート８０とを有している。縫製前の織布６０は、長方形状をなす布であって、その長辺である第一長辺部６１及び第二長辺部６２、その短辺である第一短辺部６３及び第二短辺部６４を有している。この織布６０は、長辺の延びる方向である長手方向において、その中央部分となる折返部６５で折り返されることで向かい合う短辺同士が縫い合わせられている。そして、織布６０は、短辺同士が縫い合わされて閉塞されることにより、袋体３０の側部を形成する。すなわち、織布６０の第一短辺部６３及び第二短辺部６４が袋体３０の一側部３５を構成し、折り返された折返部６５が袋体３０の他側部３６を構成する。また、織布６０は、折返部６５により向かい合う第二長辺部６２同士が縫い合わせられて閉塞されることにより、袋体３０の底部３４を形成する。すなわち、織布６０の第二長辺部６２が袋体３０の底部３４を構成する。
【００１８】
また、織布６０は、第一長辺部６１に沿うように配置される摩擦低減シート８０とともに第一長辺部６１が折り返されて縫い合わせられることにより、筒状の紐通し部３２を形成する。ここで、第一長辺部６１は、第二長辺部６２のように折返部６５により向かい合う第一長辺部６１同士が閉塞されるように縫い合わせられていない。そのため、織布６０同士が縫い合わせられることで縫製される袋体３０において、織布６０の第一長辺部６１に相当する部分は開口した状態となる。すなわち、織布６０の第一長辺部６１が袋体３０の口部３１を構成している。なお、本実施形態における土嚢袋２０において、袋体３０の底部３４及び一側部３５における縫製部５０は、織布６０とは別の布である被覆布７０が織布６０とともに縫い合わされて構成されている。この被覆布７０は、袋体３０の底部３４及び一側部３５を構成する織布６０の縁を被覆するように設けられている。
【００１９】
図５に示すように、袋体３０の一側部３５は、織布６０の第一短辺部６３及び第二短辺部６４が互いに折り返された状態で縫い合わせられることにより形成されている。詳述すると、第一短辺部６３及び第二短辺部６４は、それぞれの先端が互いに離れる側に向けて折り返されている。そして、第一短辺部６３及び第二短辺部６４の折り返された部分を被覆するように屈曲した被覆布７０が添え当てられた状態で、破線で示す箇所（本実施形態において二箇所）を第一短辺部６３及び第二短辺部６４に沿って縫糸により縫い合わせられている。なお、この被覆布７０は、第一短辺部６３及び第二短辺部６４の先端を被覆可能な大きさとされている。
【００２０】
図６に示すように、袋体３０の底部３４は、織布６０の第二長辺部６２同士が互いに折り重ねられた状態で縫い合わせられることにより形成されている。詳述すると、向かい合う第二長辺部６２同士は、それぞれの先端が重なるように同じ側に向けて折り返されている。そして、第二長辺部６２それぞれの折り返された部分を被覆するように屈曲した被覆布７０が添え当てられた状態で、破線で示す箇所（本実施形態において四カ所）を第二長辺部６２に沿って縫糸により縫い合わせられている。なお、この被覆布７０は、第二長辺部６２の先端を被覆可能な大きさとされている。
【００２１】
図７に示すように、袋体３０の紐通し部３２は、織布６０の第一長辺部６１が摩擦低減シート８０とともに折り重ねられた状態で縫い合わせられることにより形成されている。詳述すると、第一長辺部６１は、摩擦低減シート８０が重ねられた状態のまま第一長辺部６１の先端が袋体３０の内面に相当する側（裏側）に折り返されている。そして、第一長辺部６１の折り返された部分により摩擦低減シート８０を内周面とする筒状の空間が形成されるようにして、第一長辺部６１及び摩擦低減シート８０が破線で示す箇所（本実施形態において一箇所）を第一長辺部６１に沿って縫糸により縫い合わせられることで、紐通し部３２が形成されている。すなわち、この紐通し部３２を通る口紐４０は、口紐４０が引かれる際に、その大部分が摩擦低減シート８０と摺動することとなる。この摩擦低減シート８０は、口紐４０に対する摩擦係数が、口紐４０に対する織布６０の摩擦係数よりも小さくなるような材料で構成されている。なお、本実施形態における摩擦低減シート８０は、ポリエステルやポリエチレンで構成されている。
【００２２】
図８に示すように、織布６０は、複数の経糸６７及び緯糸６８で製織された織物である。なお、本実施形態における織布６０は、経糸６７と緯糸６８とを交互に浮き沈みさせて織る平織で構成されている。また、本実施形態における織布６０には、軟質の樹脂が含浸されている。本実施形態において、織布６０に含浸される軟質の樹脂としては、軟質の塩化ビニル（軟質塩ビともいう）が特に好ましい。そして、これらの経糸６７及び緯糸６８は、無機繊維の一種であるバサルト繊維で構成されている。なお、被覆布７０も織布６０と同様の構成である。このバサルト繊維は、玄武岩を高温で溶融して製造される天然の繊維素材である。バサルト繊維は、従来から土嚢袋を構成する織布として汎用されている有機繊維の繊維素材（ポリプロピレン（ＰＰ）系繊維、ポリエチレン（ＰＥ）系繊維、ポリエチレンテレフタレート（ＰＥＴ）系繊維など）よりも耐候性や耐熱性等に優れている。
【００２３】
また、バサルト繊維は、その引っ張り弾性率（ヤング率）が高く、その繊維の長手方向に加わる引っ張り力に対して有機繊維の繊維素材（例えばＰＰ、ＰＥ）よりも高い引張強度を有している。また、本実施形態では、バサルト繊維が撚られていないバサルトロービング糸（不撚糸）で経糸６７及び緯糸６８を構成している。そのため、製織後において織布に樹脂コーティングした場合には、経糸６７及び緯糸６８を構成するバサルト繊維の繊維間に樹脂が含浸し易くなる。なお、バサルト繊維が撚られた撚糸構造のバサルトヤーン糸（撚糸）で織布６０が構成されていてもよい。
【００２４】
図９に示すように、口紐４０は、芯となる芯紐４１と、芯紐４１を覆うように延びる第一筒紐４２と、第一筒紐４２を覆うように延びる第二筒紐４３とで三重に構成されている。芯紐４１は、複数の糸４４が撚り上げられた撚紐として構成されている。一方、第一筒紐４２及び第二筒紐４３は、複数の糸４４が編み上げられた組紐として構成されている。なお、この口紐４０は、口部３１の引き絞りに必要な強度を確保しつつ、扱い易い太さとするために、三重構造とされている。ここで、口紐４０の芯となる芯紐４１は、糸４４を撚り上げて構成されるため、糸４４を編み上げて構成される第一筒紐４２及び第二筒紐４３と比較して、糸４４を構成する繊維の直進性が高い。また、第一筒紐４２及び第二筒紐４３は、複数の糸４４同士を縛るように編み上げられ、それぞれの糸４４がばらばらに崩れることがない程度の強度を有するように構成されている。そして、口紐４０の芯となる芯紐４１は、繊維の直進性が高いため、口紐４０の長手方向における引張強度に大きく寄与する。なお、この口紐４０は、芯紐４１、第一筒紐４２及び第二筒紐４３を構成する糸４４がビニロン繊維で構成されている。
【００２５】
次に、上記のように構成された土嚢袋２０の作用について説明する。
従来から、土嚢袋２０に土砂等を詰めて作られる土嚢は、災害時において使用されることがある。例えば、地震等によって道路が陥没した場合、道路啓開のために陥没した部分に土嚢を敷き詰めて使用することがある。そうした場合、土嚢袋２０には、車両の荷重に耐え得る強度と、大型車両が通過する際にタイヤの回転による引き裂き力に耐え得る耐引裂性が求められる。また、その周辺で火災等が生じている場合には、火の熱に耐え得る耐火性や、たとえ引火したとしても燃え広がり難い自己消火性が求められる。また、土嚢は、トラック等に積み込まれて災害現場に運び出されることがある。こうした場合には、たとえトラックの荷台から土嚢が落下したとしても、土嚢袋２０にはその衝撃に耐え得る耐衝撃性が求められる。また、土嚢は、災害時に迅速に対応するべく、予め土嚢袋２０に土砂等が詰められた状態で屋外に保管されることが一般的である。そのため、土嚢袋２０には、日光や雨、霜や風、気温など周囲の環境に耐え得る耐候性、耐熱性、耐寒性等が求められる。
【００２６】
ここで、従来の土嚢袋には、主にポリプロピレン（ＰＰ）やポリエチレン（ＰＥ）といった合成繊維からなる織布が用いられている。この場合、日光や雨、霜や風など周囲の環境にさらされることで織布を構成する繊維が劣化してしまうため、一般的な使用寿命は３年程度であった。しかし、上述した実情から、従来の土嚢袋よりも耐久性に優れた土嚢袋が求められている。これに対し、本実施形態における土嚢袋２０は、バサルト繊維からなる織布６０で袋体３０が構成されている。
【００２７】
バサルト繊維は、強度、耐候性、耐薬品性、耐熱性、耐寒性、耐引裂性など多くの耐久性に優れた特性を有することが知られている。例えば、日光の紫外線による劣化の程度が、ポリプロピレンや、ポリエチレンなどの合成繊維に比べてもバサルト繊維は小さい。また、こうした合成繊維と比較して、バサルト繊維は、繊維の長手方向における引張力に対して高い強度を有している。また、本実施形態における土嚢袋２０は、所定の試験方法によって性能評価が行われている。例えば、所定の試験方法（ＪＩＳ  Ｌ  １０９６  Ａ−１法）で本実施形態における土嚢袋２０の耐引裂性を試験したところ、縦方向において１７５Ｎ、横方向において１８６Ｎという測定値が得られた。また、所定の試験方法（ＪＩＳ  Ｌ  １０９１  Ｂ法）で本実施形態における土嚢袋２０の燃焼性を試験したところ、残炎時間が０秒、燃焼長さが３．３ｃｍという測定値が得られた。ちなみに、これらの試験結果は一例を示したものであり、本実施形態における土嚢袋２０がこの数値に限定されるものではない。
【００２８】
上述したように、バサルト繊維は、従来の土嚢袋に用いられていたポリプロピレンやポリエチレンと比較して、耐久性に優れている。すなわち、バサルト繊維で製織された織布６０からなる土嚢袋２０は、優れた耐久性を発揮する。なお、ここまで土嚢袋２０における強度や耐候性、耐寒性などを含む多くの特性について言及したが、従来の土嚢袋と比較して、列挙した特性のうち何れか一つでも向上していれば、土嚢袋２０の耐久性が向上したといえる。
【００２９】
また、図３に示すように、本実施形態の土嚢袋２０を構成する口紐４０の糸４４に用いられているビニロン繊維は、合成繊維の中でも優れた耐熱性や強度、耐候性等を有する。今回の用途では、さらに難燃性が必要とされるため、糸４４に難燃処理が施されている。また、本実施形態の土嚢袋２０を構成する縫製部５０の縫糸に用いられているポリアリレート繊維は、非常に高価ではあるが、優れた強度や耐候性を有し、その本来の性質として難燃性も有する。ここで、合成繊維は、バサルト繊維と比較して、その繊維の長手方向に対して曲げた際の曲げ性において優れているため、織布６０同士の縫い合わせに用いられる縫糸や口紐４０を構成する糸４４として適している。そのため、曲げ性、耐候性等に優れるビニロン繊維及びポリアリレート繊維が、口紐４０の糸４４及び縫製部５０の縫糸としてそれぞれ好適に採用される。なお、口紐４０の糸４４をポリアリレート繊維で構成してもよいし、縫製部５０の縫糸をビニロン繊維で構成してもよい。
【００３０】
また、織布６０を縫い合わせてなる土嚢袋２０においては、袋体３０の内部に土砂を収容して使用される際、袋体３０において縫い合わされた部分である縫製部５０にその収容物による負荷が集中する。そこで、本実施形態における土嚢袋２０は、縫糸として高強度のポリアリレート繊維を用いるだけではなく、袋体３０の縫製部５０のうち、底部３４及び一側部３５に設けられる縫製部５０に被覆布７０を設けることで補強している。なお、口部３１における縫製部５０に被覆布７０が設けられていないのは、底部３４及び一側部３５と比較して収容物による負荷が集中し難いためである。
【００３１】
また、紐通し部３２において、織布６０に含浸された軟質塩ビにより、織布６０の表面と口紐４０との滑り性が良くないため、その摩擦が大きくなりがちである。その点、本実施形態における土嚢袋２０は、紐通し部３２にポリエステルやポリエチレンでなどで構成される摩擦低減シート８０が設けられているため、紐通し部３２における口紐４０の摩擦が低減される。また、摩擦低減シート８０は、織布６０を構成するバサルト繊維そのものと口紐４０との接触を抑制することによっても、紐通し部３２における口紐４０の摩擦を低減させる。
【００３２】
また、バサルト繊維で構成される織布６０は、ポリプロピレンやポリエチレンなどの繊維で構成される織布と比較して硬い織物となる。そのため、バサルト繊維で構成される袋体３０を有する土嚢袋２０は、ポリプロピレンやポリエチレンなどで構成される土嚢袋と比較して、口紐４０により口部３１を引き絞る際に大きな力を要するが、摩擦低減シート８０を紐通し部３２に設けることによって口部３１を引き絞る際に要する力が低減されている。
【００３３】
上記の実施形態によれば、以下のような効果を得ることができる。
（１）袋体３０を構成する織布６０にバサルト繊維を用いることで、土嚢袋２０の耐久性を向上させることができる。
【００３４】
（２）織布６０には軟質の樹脂が含浸されているため、樹脂のコーティングによって袋体３０を構成する織布６０の柔軟性及び強度を損なうことなく織布６０の織目のずれを抑制し、その縫製強度を向上することができる。また、軟質の樹脂として軟質塩ビを用いることで、長期間の使用においても織布６０の織目のずれやその縫製強度が維持され、織布６０に難燃性をも付与できる。
【００３５】
（３）縫製部５０を形成する縫糸にポリアリレート繊維を用いることで、土嚢袋２０の耐久性を向上させることができる。
（４）バサルト繊維で構成された被覆布７０により、縫製部５０を補強することができる。
【００３６】
（５）紐通し部３２に設けられた摩擦低減シート８０により、袋体３０の口部３１を引き絞り易くすることができる。
（６）口紐４０を構成する糸４４にビニロン繊維を用いることで、土嚢袋２０の耐久性を向上させることができる。
【００３７】
（７）撚紐としての芯紐４１、組紐としての第一筒紐４２及び第二筒紐４３により口紐４０を三重の紐で構成することで、引張強度と縛り性の両立が実現できる。
なお、上記実施形態は、以下のように変更してもよい。また、以下の変更例は、適宜組み合わせてもよい。
【００３８】
・図１０に示すように、紐通し部３２に口紐４０が通るための孔９０を複数設け、袋体３０の外面と内面とを交互に延びるように口紐４０が紐通し部３２に通される構成としてもよい。この変更例によれば、口部３１を引き絞り易くできる。
【００３９】
・口部３１に設けられる縫製部５０に、被覆布７０が縫い付けられていてもよい。
・織布６０は、綾織や朱子織などその他様々な織方で製織されていてもよく、平織に限定されない。
【００４０】
・口紐４０を構成する糸４４は、ビニロン繊維に限らずその他の繊維材料から構成されていてもよい。
・縫製部５０を形成する縫糸は、ポリアリレート繊維に限らずその他の繊維材料から構成されていてもよい。
【００４１】
・織布６０に含浸される樹脂は、塩ビに限らずエチレン酢酸ビニル（ＥＶＡ）などその他様々な種類の樹脂でもよい。
・紐通し部３２に二本以上の口紐４０が通されていてもよい。
【００４２】
・口紐４０は、芯紐４１、第一筒紐４２及び第二筒紐４３との三重に構成されていなくともよく、芯紐４１、第一筒紐４２及び第二筒紐４３のうち何れか一つで構成されていてもよいし、何れか二つで構成されていてもよい。また、口紐４０は、繊維からなる紐に限らず、皮革製や樹脂製の紐であってもよい。
【００４３】
・袋体３０は、二枚の織布６０が縫い合わされて構成されていてもよい。また、袋体３０が円筒状をなすような構成とされていてもよい。上記実施形態は、土嚢袋２０における袋体３０の一形状を示したものであり、袋体３０の形状は上記実施形態に限定されない。
【符号の説明】
【００４４】
２０…土嚢袋、３０…袋体、３１…口部、３２…紐通し部、４０…口紐、５０…縫製部、６０…織布、７０…被覆布、８０…摩擦低減シート。
【図１】
2018020833.tif 000003
【図２】
2018020833.tif 000004
【図３】
2018020833.tif 000005
【図４】
2018020833.tif 000006
【図５】
2018020833.tif 000007
【図６】
2018020833.tif 000008
【図７】
2018020833.tif 000009
【図８】
2018020833.tif 000010
【図９】
2018020833.tif 000011
【図１０】
2018020833.tif 000012